(57)【要約】      （修正有）【課題】人体の四肢の任意箇所を包覆できる保護クッションを提供する。【解決手段】本考案の提供する巻付式保護クッションは、特に、人体四肢の患部に巻き付け、包覆する保護クッション１０を指し、それは、可撓性緩衝材料によって構成された細長形状の棒体２０を含み、棒体２０の両端にはそれぞれ、生地を粘着可能な粘着部品３０を設け、該棒体２０は螺旋形態で巻き付けて人体の四肢を包覆し、粘着部品３０を棒体或いは四肢の衣服上に粘着して棒体２０を固定することにより、棒体２０は人体四肢の患部の周囲に巻き付いて患部を支え、人体四肢が受ける衝撃力を緩和及び均等分散し、さらに適当な保護効果を提供し、且つ棒体２０を人体四肢の任意箇所に巻き付けられるため、非常に便利に使用できる。【選択図】図１
0003176427.tif 000002
【実用新案登録請求の範囲】
【請求項１】
巻付式保護クッションは、可撓性緩衝材料によって構成された細長形状の棒体を含み、棒体の両端にはそれぞれ、生地を粘着可能な粘着部品を設け、該棒体は螺旋形態で巻き付けて人体の四肢を包覆し、粘着部品を棒体或いは四肢の衣服上に粘着して棒体を固定することにより、棒体は人体の四肢患部の周囲を弾性を備えて保護し支持することを特徴とする巻付式保護クッション。
【請求項２】
請求項１記載の巻付式保護クッションにおいて、前記棒体の外側は粘着部品を粘着させるのに便利なカバーで包覆することを特徴とする巻付式保護クッション。
【請求項３】
請求項１記載の巻付式保護クッションにおいて、前記可撓性緩衝材料は、スポンジ或いは高密度弾性ウレタン材質であることを特徴とする巻付式保護クッション。
【請求項４】
請求項１記載の巻付式保護クッションにおいて、前記粘着部品はマジックテープ（登録商標）であることを特徴とする巻付式保護クッション。
【考案の詳細な説明】
【技術分野】
【０００１】
本考案の提供する巻付式保護クッションは、特に、細長い棒体を巻き付け、尚且つ人体の四肢の患部を包覆できる保護クッションに関する。
【背景技術】
【０００２】
人体の手足等の四肢は外界との接触が頻繁であるため、怪我をした四肢が再び外力による衝撃を受けて痛みを感じることがよくある。甚だしくは更に大きな怪我となることさえある。また、四肢を怪我し、寝たきりや車椅子の生活になった病人が身体を動かす時に移動量が過大であると、怪我をした手足も動かされて再度痛みを齎す事もある。
【０００３】
病人が四肢を動かし再び痛みを感じるのを防ぐために、伝統的な方法には、怪我をした手足を縛り高い所に固定して四肢の大きな動きを減らそうとする方法がある。しかし、一般に病人は、例えば食事やトイレ、医師の診察を受ける等、日常生活の中で身体を大きく動かすことを避けられず、四肢を大幅に動かして外部の物にぶつかったり、苦痛を増すこともある。
【０００４】
一般に、病人が身体を動かす際の痛みを軽減する方法には、枕、クッション、布団、毛布等の寝具を用いて病人の四肢の患部を支えて、病人が身体を動かした際の四肢患部に対する外力の影響を緩和させる方法がある。しかし、前記寝具は人体が動く過程において落下し易く、或いは患部との間に摩擦作用が起き、病人の苦痛感を増すことにもなる。
【０００５】
現在、病人の四肢患部を保護具で包み込み、身体を動かした時の苦痛を軽減する方法もある。しかし、保護具の設計は通常、手の肘、肩、太腿等の特定箇所に限られ、患部がこれらの位置から偏っていたなら、現有する保護具の規格では周到な患部保護はできない。また、一般に市販されている保護具は通常薄く作られているため、患部がぶつかった時には、衝撃力を効果的に均等分散させたり吸収することはできない。
【考案の概要】
【考案が解決しようとする課題】
【０００６】
本考案の主な目的は、人体の四肢患部に巻き付けて尚且つ密着させられる保護クッションを提供することにある。これにより、前述の背景技術に述べたような、病人が四肢患部を支えるために用いた寝具が身体を動かす過程において落下したり、或いは患部との間に摩擦が生じて病人に苦痛を感じさせてしまう問題を解決する。並びに、現有する保護具の規格では四肢の任意部位の患部の周到な保護ができない問題点をも解決する。
【課題を解決するための手段】
【０００７】
上述の目的を達成するために提供する本考案の巻付式保護クッションは、可撓性緩衝材料によって構成された細長形状の棒体を含み、棒体の両端にはそれぞれ生地を粘着可能な粘着部品を設ける。棒体は螺旋形態で巻き付け、尚且つ人体の四肢に密着させ、前記粘着部品を前記棒体或いは四肢の衣服上に粘着して棒体を固定することにより、棒体を人体の四肢患部の周囲に巻き付かせて支持する。
【０００８】
上述に基づき、棒体には人体四肢に螺旋形態で巻き付ける形式を採用し、棒体表面で人体の四肢を覆い、尚且つ、棒体の各部分を相互に接触させ、並びに、前記粘着部品を棒体或いは四肢の衣服上に粘着し、更に棒体を固定する。
【０００９】
以上により、人体四肢が受ける外界からの衝撃力を緩和及び均等分散させ、適当な保護効果を提供し、尚且つ、棒体を人体四肢の任意箇所に巻き付け可能であるため、非常に便利に使用できる。
【００１０】
本考案の具体的な実施方式をさらに説明する。
上述した主な構造の特徴に基づき、棒体の外側は粘着部品を粘着させるのに便利なカバーで包覆し、尚且つ、カバーは、弾性繊維の生地を用いて作り、通風及び放熱効果を兼ね備えたものとし、人体に快適な触感を提供する。
上述の主な構造の特徴に基づき、可撓性緩衝材料は、スポンジ或いは高密度弾性ウレタン（形状記憶の綿）等の材質とし、好ましい緩衝作用と支持作用を提供する。
上述の主な構造の特徴に基づき、粘着部品はマジックテープ（登録商標）とする。
【考案の効果】
【００１１】
背景技術と比較し、本考案には次の長所を有する。
（１）螺旋形態による人体の四肢への巻き付けを採用しており、四肢の任意箇所への巻き付けが可能であるため、非常に便利に使用できる。
（２）人体の四肢を簡単に包覆し密着させられ、適当な締め具合と包覆効果を生じさせ、並びに通風と放熱効果を備え、使用時は快適感を倍増させ、腕や足の怪我やリハビリでの使用に適し、衝撃を受ける心配を起こさない。
（３）容易に折り曲げやねじ曲げ可能な特性を備え、可塑性及び調節性が高く、人体の四肢に負担を増加させることなく、四肢を便利に移動させられ、保護効果を失うこともない。
（４）棒体の巻き付け可能という特性によって、人体四肢の患部を保護できる他、未使用時には、室内の床面や椅子の腰掛部分に、螺旋状に巻き付けて使用者が座れる座布団を形成することも可能であり、便利な収納と多目的用途を兼ね備えた効果を達成する。
【図面の簡単な説明】
【００１２】
【図１】本考案の好ましい実施例の立体図である。
【図２】図１実施例を螺旋状に巻き付けた形態の立体図である。
【図３】図１の断面図である。
【図４】図１実施例の使用状態での立体図である。
【図５】図１実施例のもう一つの使用状態の立体図である。
【考案を実施するための形態】
【００１３】
本考案の技術内容、構造特徴、達成する目的を詳細に説明するため、以下に実施例を挙げ並びに図面を組み合わせて説明する。
【００１４】
図１には本考案の好ましい実施例の立体図を、図２には図１実施例を螺旋状に巻き付けた形態の立体図を、図３には図１の断面図を、図４には図１実施例の使用状態での立体図を、図５には図１実施例のもう一つの使用状態の立体図を示す。
図１乃至図５を参照しながら本考案の巻付式保護クッション１０について説明を行う。保護クッション１０は、可撓性緩衝材料によって構成された細長い棒体２０を含み、棒体２０の両端にはそれぞれ生地を粘着可能な粘着部品３０を設け、棒体２０は螺旋形態で巻き付け、尚且つ人体の肩、腕、肘、手首、掌、太腿、膝、脹脛、足首、或いは／及び足底等の四肢表面を包覆する。粘着部品３０は前記棒体２０或いは四肢の衣服５１、５２上に粘着可能であり、棒体２０を四肢患部の周囲に固定し、これにより、棒体２０は人体の四肢患部の周囲を包覆し支持する。
【００１５】
前述構造に基づき本考案を実施すると、使用時には先ず棒体２０の一端の粘着部品３０を手や足等四肢の患部に近い側の衣服５１、衣服５２上に粘着して固定させ、棒体２０を四肢患部表面に沿って螺旋形態に巻き付け、棒体２０を患部表面に巻き付けて密着させ、棒体２０の各部分を相互に接触するようにし、その後、棒体２０の他の一端の粘着部品３０をカバー４０或いは四肢の衣服５１、５２上に粘着し、棒体２０を患部表面に固定する。
【００１６】
重要な点は、棒体２０は可撓性を備えており、患部が肘や膝等の関節箇所に位置する場合、棒体２０を四肢や関節に沿って巻き付けて患部を完全に覆うが、肘や膝は依然として自由に動かすことができ、棒体２０の制限を受けることはない点にある。
【００１７】
特に、長期的に寝たきりである病人に対しては、棒体２０を四肢の一部に巻き付けて使用することも可能であり、これによって、適度な弾性を備えて四肢を支えることができ、患部を高くして通気をよくする効果もあるため、患部の保護に役立ち、四肢の大面積が長期的に圧迫を受けて床ずれを起こすのを防ぐこともできる。
【００１８】
これにより、棒体２０は、人体の四肢が受ける外的な衝撃力を阻止、緩和、均等分散させて適当な保護効果を達成し、尚且つ、棒体２０は人体四肢の関節を含む任意箇所に巻き付けることができるため非常に便利に使用でき、前述の背景技術に述べたような、四肢患部を支えている寝具が身体を動かす過程において落下したり、患部に摩擦が生じて病人に苦痛を与える等の問題を解決し、並びに、現有の保護具の規格では四肢の任意箇所の患部を周到に保護できない問題を解決する。
【００１９】
次に、本考案の具体的な実施方式を詳細する。
実施時、棒体２０の外側は粘着部品３０を粘着させるのに便利なカバー４０で包覆する。該カバー４０は、実施においては弾性繊維生地を用いて作り、通風及び放熱効果を兼ね備えたものでもよく、人体に快適な触感を提供する。
実施時、可撓性緩衝材料は、スポンジ或いは高密度弾性ウレタン（俗に形状記憶の綿）材質としてもよい。よって、棒体２０は非常に柔軟で、簡単に螺旋状に巻き付けることができ、可塑性及び調節性も高いため、棒体２０は人体四肢に好ましい緩衝作用と支持作用を提供できる。
実施時、粘着部品３０は、好ましくはマジックテープ（登録商標）を用いて実施可能であり、前記棒体２０のカバー４０と四肢の衣服５１、５２上への粘着に役立つ。
【００２０】
背景技術と比較し、本考案には次の長所を有する。
（１）螺旋形態による人体の四肢への巻き付けを採用しており、四肢の任意箇所への巻き付けが可能であるため、非常に便利に使用できる。
（２）人体の四肢を簡単に包覆し密着させられ、適当な締め具合と包覆効果を生じさせ、並びに通風と放熱効果を備え、使用時は快適感を倍増させ、腕や足の怪我やリハビリでの使用に適し、衝撃を受ける心配を起こさない。
（３）容易に折り曲げやねじ曲げ可能な特性を備え、可塑性及び調節性が高く、人体の四肢に負担を増加させることなく、四肢を便利に移動させられ、保護効果を失うこともない。
（４）棒体の巻き付け可能という特性によって、人体四肢の患部を保護できる他、未使用時には、室内の床面や椅子の腰掛部分に、螺旋状に巻き付けて使用者が座れる座布団を形成することも可能であり、便利な収納と多目的用途を兼ね備えた効果を達成する。
【００２１】
以上述べたことは、本考案の実施例にすぎず、本考案の実施の範囲を限定するものではなく、本考案の権利の請求の範囲に基づきなし得る同等の変化と修飾は、いずれも本考案の権利のカバーする範囲内に属するものとする。
【符号の説明】
【００２２】
１０  保護クッション
２０  棒体
３０  粘着部品
４０  カバー
５１  衣服
５２  衣服
【図１】
0003176427.tif 000003
【図２】
0003176427.tif 000004
【図３】
0003176427.tif 000005
【図４】
0003176427.tif 000006
【図５】
0003176427.tif 000007